(57)【要約】【課題】水平部材を支柱の端にかかわらず組み付け固定可能としたエアコン用置き台を提供する。【解決手段】エアコン用置き台は支柱３と支柱３に組み付け固定される横フレーム５や縦フレーム６を備える。継手部材７に横フレーム５の端部および縦フレーム６の端部が固定され、継手部材７が支柱３の外側支柱１１に高さ方向に沿ってスライド自在に支持される。外側支柱１１の内向き固定面１１ｅと継手部材７の継手基部７ａが六角穴付ボルトと六角ナットにより締結される。【選択図】図４
2005299953.tif 000002
【特許請求の範囲】
【請求項１】
支柱（３）と該支柱（３）に組み付け固定される水平部材（５）（６）との組み立て体（１５）を備え、エアコンが支持されるエアコン用置き台において、
前記水平部材（５）（６）を前記支柱（３）に対してその高さ方向に移動自在に支持するスライド手段（７）（１１ｄ）が備えられると共に、水平部材（５）（６）の前記高さ方向の移動を規制するストッパ手段（２２）（２６）が備えられたことを特徴とするエアコン用置き台。
【請求項２】
請求項１に記載のエアコン用置き台において、
前記スライド手段（７）（１１ｄ）が、前記支柱（３）に前記高さ方向に沿って設けられた継手用溝部（１１ｄ）と、前記水平部材（５）（６）に設けられると共に前記継手用溝部（１１ｄ）に対して前記高さ方向に沿って摺動自在に嵌合される継手部材（７）とを備えたことを特徴とするエアコン用置き台。
【請求項３】
請求項２に記載のエアコン用置き台において、
前記継手用溝部（１１ｄ）が前記支柱（３）の前記組み立て体（１５）における外面を避けた面に配設されていることを特徴とするエアコン用置き台。
【請求項４】
請求項１ないし請求項３のいずれかに記載のエアコン用置き台において、
前記支柱（３）は中空形状とされ、
前記ストッパ手段（２２）（２６）が、支柱（３）の内部に配置されるナット体（２６）と、該ナット体（２６）に螺合締結されるボルト体（２２）とを備え、
前記ボルト体（２２）が前記組み立て体（１５）における外面を避けた面に配設されていることを特徴とするエアコン用置き台。
【請求項５】
請求項２ないし請求項４のいずれかに記載のエアコン用置き台において、
前記水平部材（５）（６）は中空形状とされ、
前記継手部材（７）は、水平部材（５）（６）の端部に挿入される継手挿入部（７ｃ）（７ｅ）を備えると共に、該継手挿入部（７ｃ）（７ｅ）にたわみ変形可能な係合部（７ｄ）（７ｆ）が設けられ、
前記継手挿入部（７ｃ）（７ｅ）を水平部材（５）（６）の端部に挿入することによって、前記係合部（７ｄ）（７ｆ）が水平部材（５）（６）の内部に設けられた被係合部（５ｄ）（６ａ）に抜止め係止されることを特徴とするエアコン用置き台。
【請求項６】
請求項５に記載のエアコン用置き台において、
前記水平部材（５）はその上面の幅方向中間部に長さ方向に沿った水平スライド溝部（５ａ）が設けられ、該水平スライド溝部（５ａ）に沿って前記エアコンを支持するベース部材（８）がスライド自在に設けられ、
前記継手挿入部（７ｃ）は、前記水平スライド溝部（５ａ）を避けて前記水平部材（５）に挿入される二分割構造とされていることを特徴とするエアコン用置き台。
【請求項７】
請求項１ないし請求項６のいずれかに記載のエアコン用置き台において、
前記ストッパ手段（２２）（２６）が、ナット体（２６）と、該ナット体（２６）に螺合締結されるボルト体（２２）とを備え、
前記支柱（３）に、前記ナット体（２６）もしくは前記ボルト体（２２）のいずれか一方が、支柱（３）の高さ方向に沿ってスライド自在に、かつ回り止め状態で備えられていることを特徴とするエアコン用置き台。
【発明の詳細な説明】
【技術分野】
【０００１】
本発明は、エアコンの室外機を載置状に支持するためのエアコン用置き台に関する。
【背景技術】
【０００２】
この種のエアコン用置き台として、互いに直行する三方向接続用のいわゆる三方継手に支柱、横フレーム、縦フレームの各端部をそれぞれ挿入すると共に、ボルト締結等により固定し、順次組み付けられて枠組み構造とされたエアコン用置き台があり、その一対の横フレーム間にまたがって架け渡されたベースフレーム上にエアコンの室外機を載置状に取り付ける構造とされたものがある。
【０００３】
なお、本願発明に関連する先行技術としては、例えば特許文献１に記載のものがある。
【０００４】
【特許文献１】実開平７−３５９２３号公報
【発明の開示】
【発明が解決しようとする課題】
【０００５】
しかしながら、三方継手を用いた構造によれば、その取付位置が支柱の上端または下端に限定されるため、横フレームや縦フレーム等で構成される水平部材の取付位置も限定され、汎用性に欠けるという欠点があった。
【０００６】
そこで、本発明の解決しようとする課題は、水平部材を支柱の端にかかわらず組み付け固定可能としたエアコン用置き台を提供することにある。
【課題を解決するための手段】
【０００７】
上記課題を解決するための技術的手段は、支柱と該支柱に組み付け固定される水平部材との組み立て体を備え、エアコンが支持されるエアコン用置き台において、前記水平部材を前記支柱に対してその高さ方向に移動自在に支持するスライド手段が備えられると共に、水平部材の前記高さ方向の移動を規制するストッパ手段が備えられた点にある。
【０００８】
また、前記スライド手段が、前記支柱に前記高さ方向に沿って設けられた継手用溝部と、前記水平部材に設けられると共に前記継手用溝部に対して前記高さ方向に沿って摺動自在に嵌合される継手部材とを備えた構造としてもよい。
【０００９】
さらに、前記継手用溝部が前記支柱の前記組み立て体における外面を避けた面に配設されている構造としてもよい。
【００１０】
また、前記支柱は中空形状とされ、前記ストッパ手段が、支柱の内部に配置されるナット体と、該ナット体に螺合締結されるボルト体とを備え、前記ボルト体が前記組み立て体における外面を避けた面に配設されている構造としてもよい。
【００１１】
さらに、前記水平部材は中空形状とされ、前記継手部材は、水平部材の端部に挿入される継手挿入部を備えると共に、該継手挿入部にたわみ変形可能な係合部が設けられ、前記継手挿入部を水平部材の端部に挿入することによって、前記係合部が水平部材の内部に設けられた被係合部に抜止め係止される構造としてもよい。
【００１２】
また、前記水平部材はその上面の幅方向中間部に長さ方向に沿った水平スライド溝部が設けられ、該水平スライド溝部に沿って前記エアコンを支持するベース部材がスライド自在に設けられ、前記継手挿入部は、前記水平スライド溝部を避けて前記水平部材に挿入される二分割構造とされている構造としてもよい。
【００１３】
さらに、前記ストッパ手段が、ナット体と、該ナット体に螺合締結されるボルト体とを備え、前記支柱に、前記ナット体もしくは前記ボルト体のいずれか一方が、支柱の高さ方向に沿ってスライド自在に、かつ回り止め状態で備えられている構造としてもよい。
【発明の効果】
【００１４】
請求項１に記載のエアコン用置き台によれば、水平部材を支柱に対してその高さ方向に移動自在に支持するスライド手段が備えられると共に、水平部材の高さ方向の移動を規制するストッパ手段が備えられた構造とされているため、スライド手段により水平部材を支柱の高さ方向に移動させ、ストッパ手段により水平部材の移動を規制できるため、水平部材を支柱の端に限らず、高さ方向の中途部でも組み付け固定でき、汎用性の向上が図れる。
【００１５】
また、請求項２に記載のエアコン用置き台によれば、請求項１に記載のエアコン用置き台において、スライド手段が、支柱に高さ方向に沿って設けられた継手用溝部と、水平部材に設けられると共に継手用溝部に対して高さ方向に沿って摺動自在に嵌合される継手部材とを備えた構造とされており、水平部材に設けられた継手部材を支柱に設けられた継手用溝部に摺動自在に嵌合された状態で、ストッパ手段により移動を規制するため、組み付け状態における組み立て体のねじれが有効に防止できる。
【００１６】
さらに、請求項３に記載のエアコン用置き台によれば、請求項２に記載のエアコン用置き台において、継手用溝部が支柱の組み立て体における外面を避けた面に配設されている構造とされているため、継手用溝部が外部から見え難く、外観向上が図れる。
【００１７】
また、請求項４に記載のエアコン用置き台によれば、請求項１ないし請求項３のいずれかに記載のエアコン用置き台において、支柱は中空形状とされ、ストッパ手段が、支柱の内部に配置されるナット体と、該ナット体に螺合締結されるボルト体とを備え、ボルト体が組み立て体における外面を避けた面に配設されている構造とされ、支柱が中空形状とされているため、強度的に優れると共に、ナット体が支柱の内部に、ボルト体が外面を避けた面にそれぞれ配置されているため、ボルト体やナット体が外部から見え難く、この点からも外観向上が図れる。
【００１８】
さらに、請求項５に記載のエアコン用置き台によれば、請求項２ないし請求項４のいずれかに記載のエアコン用置き台において、水平部材は中空形状とされ、継手部材は、水平部材の端部に挿入される継手挿入部を備えると共に、該継手挿入部にたわみ変形可能な係合部が設けられ、継手挿入部を水平部材の端部に挿入することによって、係合部が水平部材の内部に設けられた被係合部に抜止め係止される構造とされているため、水平部材に継手部材を取り付けるに際して、継手部材の継手挿入部を水平部材の端部に挿入すれば、継手挿入部の係合部が水平部材の被係合部に抜止め係止されて固定でき、ネジ止めが不要となり、組み立て体の組み付け作業が容易となる。
【００１９】
また、請求項６に記載のエアコン用置き台によれば、請求項５に記載のエアコン用置き台において、水平部材はその上面の幅方向中間部に長さ方向に沿った水平スライド溝部が設けられ、該水平スライド溝部に沿ってエアコンを支持するベース部材がスライド自在に設けられ、継手挿入部は、水平スライド溝部を避けて水平部材に挿入される二分割構造とされているため、水平スライド溝部に沿ってスライドされるベース部材と挿入された継手挿入部との干渉が有効に防止できる。従って、継手挿入部の挿入長さを長く確保でき、剛性向上が図れる利点もある。
【００２０】
さらに、請求項７に記載のエアコン用置き台によれば、請求項１ないし請求項６のいずれかに記載のエアコン用置き台において、ストッパ手段が、ナット体と、該ナット体に螺合締結されるボルト体とを備え、支柱に、ナット体もしくはボルト体のいずれか一方が、支柱の高さ方向に沿ってスライド自在に、かつ回り止め状態で備えられている構造とされているため、支柱の高さ方向における任意の位置で水平部材を固定できる。
【発明を実施するための最良の形態】
【００２１】
以下、本発明の第１の実施形態を図面に基づいて説明すると、図１はエアコン用置き台１を示す斜視図であり、このエアコン用置き台１は、エアコン用の室外機を所定位置に載置支持するための台である。なお、本実施形態においては、比較的低い位置で室外機を載置支持する、いわゆる平置台とよばれるタイプのものを示している。
【００２２】
このエアコン用置き台１は、図２ないし図４にも示される如く、水平部材２と、この水平部材２を所定の高さ位置に保持する支柱部材としての４本の支柱３とを備えており、水平部材２は、一対の横フレーム５と一対の縦フレーム６とが略方形状に組み付けられた構造とされている。即ち、これら各横フレーム５および各縦フレーム６は、それぞれの端部で継手部材７を介して略Ｌ字状に連結された構造とされている。そして、この各継手部材７を介して各支柱３にそれぞれ固定されている。
【００２３】
また、一対の横フレーム５間にわたって、一対のベース部材としてのベースフレーム８が架け渡されており、各ベースフレーム８の両端部は、それぞれ横フレーム５にその長手方向に沿って移動自在に支持されると共に、その横フレーム５の長手方向における所望位置で固定可能に構成されている。
【００２４】
さらに、各ベースフレーム８には、室外機固定用のボルト等を備えた固定具９が、ベースフレーム８の長手方向に沿って形成されたスライド溝部８ａに沿ってスライド操作自在にそれぞれ配設されており、固定対象となる室外機のサイズに合わせて一対のベースフレーム８を各横フレーム５の長手方向に沿って移動させ、互いの間隔寸法を調整して固定し、この状態で、室外機を一対のベースフレーム８上に載置して、各固定具９を用いて室外機を固定する構造とされている。
【００２５】
そして、本実施形態においては、これら各支柱３、各横フレーム５、各縦フレーム６、各継手部材７および各ベースフレーム８は、例えば、アルミニウムやアルミニウム合金等を押出成形してなる押出型材から形成され、押出方向に沿って同一断面を有した構造とされている。
【００２６】
前記各支柱３は、中空形状とされた筒状支柱部材としての外側支柱１１と、この外側支柱１１内にスライド自在に挿入される中空形状とされた挿入支柱部材としての内側支柱１２と、これらの相対的なスライド移動を規制する固定部材としての例えば六角ボルトからなるボルト１３および六角ナットからなるナット１４とを備えている。
【００２７】
即ち、外側支柱１１は、図２や図４に示されるように、略方形筒断面形状に形成され、各支柱３と各横フレーム５および各縦フレーム６とが組み付けられた組み立て体１５の形態において、外側支柱１１の外面となる２側面１１ａで構成されるコーナー部分は、略弧状の曲面１１ｂに形成されている。
【００２８】
また、外側支柱１１の前記外面を避けた内向きとなる他の２側面１１ｃ、即ち、横フレーム５および縦フレーム６の長手方向にそれぞれ対向する各内向きの側面１１ｃには、外側支柱１１の長手方向、即ち高さ方向に沿って延びる継手用溝部１１ｄがそれぞれ形成されている。そして、本実施形態においては、各継手用溝部１１ｄは、幅狭の開口部の奥側に幅広の収容凹部が広がる平面視で略Ｔ字状の内部空間を有した構造とされている。
【００２９】
さらに、各内向きの側面１１ｃで構成されるコーナー部分は、いわゆる面取り状の平坦面とされた斜めの内向き固定面１１ｅとされ、この内向き固定面１１ｅの下端部近傍に前記ボルト１３が挿通されるボルト挿通孔１１ｆが形成されている。
【００３０】
前記内側支柱１２は、前記外側支柱１１の内周面形状に対応する外周面形状を有する略方形筒断面形状に形成され、外側支柱１１の下端部内にスライド自在に挿入されるいわゆる入れ子構造とされている。
【００３１】
また、外側支柱１１の各継手用溝部１１ｄに対応する内側支柱１２の各内向き側面１２ａの内部面側には、断面略Ｃ字状のネジ止部１２ｂがそれぞれ内側支柱１２の高さ方向に沿って形成されている。そして、内側支柱１２の下端面に当接状に配設される脚部１７を、それに形成された各ネジ挿通孔１７ａを適宜選択して、ネジ１８を挿通させると共にネジ止部１２ｂの下端部に螺合締結させることで、各内側支柱１２の下端部に脚部１７がそれぞれ所望の向きで取付固定される構造とされている。
【００３２】
さらに、外側支柱１１の内向き固定面１１ｅに対応する内側支柱１２の部分には、前記ナット１４を相対回動不能な回り止め状態で高さ方向にスライド自在に保持すると共に、前記ボルト１３の軸部が挿通可能な溝幅を有するナットスライド溝部１２ｃが内側支柱１２の高さ方向に沿って形成されている。
【００３３】
そして、外側支柱１１のボルト挿通孔１１ｆにボルト１３の軸部を挿入して、内向き固定面１１ｅの内面側に突出するボルト１３の軸部にナット１４を緩く螺合させて保持させ、ナット１４を所定の向きとして内側支柱１２を外側支柱１１の下端側から挿入する。この際、ナット１４がナットスライド溝部１２ｃ内に上方より嵌り込むようにする。
【００３４】
そして、外側支柱１１に対する内側支柱１２の突出長さが所望の状態となった状態で、ボルト１３を螺合締結すれば、内向き固定面１１ｅの内面に内側支柱１２のナットスライド溝部１２ｃが引き寄せられて挟持され、外側支柱１１に対して内側支柱１２が固定される。また、ボルト１３の締結を緩めれば、外側支柱１１と内側支柱１２とが再びスライド操作自在な状態が得られる。
【００３５】
前記各横フレーム５は、図２ないし図４に示される如く、中空形状とされた略方形筒断面形状に形成され、その上面の幅方向中央部には、前記ベースフレーム８の両端部における幅方向中央部の底面８ｂに突出状に形成されたボス部８ｃがスライド自在に支持される水平スライド溝部としてのガイド溝部５ａが横フレーム５の長手方向に沿って形成されている。
【００３６】
また、ガイド溝部５ａは、ベースフレーム８を固定するためのタッピンネジ２０が、ボス部８ｃを通じて螺合締結可能な深溝状に形成されると共に、ガイド溝部５ａの下面側には横フレーム５内部を内外に仕切る仕切壁部５ｂが横フレーム５の長手方向に沿って形成されている。
【００３７】
さらに、横フレーム５の上面における外側縁部には、立ち上がり壁部５ｃが横フレーム５の長手方向に沿って形成されており、ベースフレーム８の長手方向端部を覆うと共にベースフレーム８の横フレーム５の長手方向に沿った移動操作に際してのガイド機能を発揮する構造とされている。
【００３８】
前記縦フレーム６は、図１、図２および図４に示される如く、中空形状とされた略方形筒断面形状に形成され、いわゆる横フレーム５におけるガイド溝部５ａおよび仕切壁部５ｂを有していない構造とされ、横フレーム５の対応する部分と略同じ大きさに構成されている。
【００３９】
前記継手部材７は、図２および図４に示される如く、外側支柱１１の内向き固定面１１ｅおよびその両側の各内向きの側面１１ｃにまたがって当接される屈曲板状の継手基部７ａを備え、継手基部７ａの各側面１１ｃに当接される面側には、各側面１１ｃに形成された略Ｔ字状の各継手用溝部１１ｄに高さ方向に沿って相対摺動自在に嵌合される平面視略Ｔ字状の継手部７ｂがそれぞれ備えられている。
【００４０】
また、継手基部７ａの横フレーム５の端部に対向する面側には、横フレーム５内に嵌合状に挿入される継手挿入部７ｃが備えられると共に、この継手挿入部７ｃは横フレーム５のガイド溝部５ａを避けてその両側に挿入される二分割構造とされている。
【００４１】
さらに、組み立て体１５の形態において内側に位置される継手挿入部７ｃの挿入端部には、たわみ変形可能な鉤状の係合部７ｄが備えられ、挿入状態の継手挿入部７ｃにおける係合部７ｄ位置に対応する横フレーム５の内側面には、横フレーム５の内部突出状に切り起こし形成された被係合部としての係止片部５ｄが例えば上下方向に離隔して２個所形成されている。
【００４２】
そして、横フレーム５の端部に継手部材７の継手挿入部７ｃが挿入された際、たわみ変形により係止片部５ｄ位置を通過して復帰し、係止片部５ｄに係合部７ｄが抜止め係止される構造とされている。
【００４３】
また、継手基部７ａの縦フレーム６の端部に対向する面側には、縦フレーム６内に嵌合状に挿入される継手挿入部７ｅが備えられると共に、この継手挿入部７ｅは横フレーム５に挿入される継手挿入部７ｃと同様に、縦フレーム６の両側に振り分け状に挿入される二分割構造とされている。
【００４４】
さらにまた、継手挿入部７ｃと同様、組み立て体１５の形態において内側に位置される継手挿入部７ｅの挿入端部には、たわみ変形可能な鉤状の係合部７ｆが備えられ、挿入状態の継手挿入部７ｅにおける係合部７ｆ位置に対応する縦フレーム６の内側面には、縦フレーム６の内部突出状に切り起こし形成された被係合部としての係止片部６ａが例えば上下方向に離隔して２個所形成されている。
【００４５】
そして、縦フレーム６の端部に継手部材７の継手挿入部７ｅが挿入された際、たわみ変形により係止片部６ａ位置を通過して復帰し、係止片部６ａに係合部７ｆが抜止め係止される構造とされている。
【００４６】
また、継手基部７ａにおける内向き固定面１１ｅに対応する部分には、固定用のボルト体としての六角穴付ボルト２２の軸部が挿通されるボルト挿通孔７ｇが形成されている。
【００４７】
一方、図２および図４に示される如く、前記外側支柱１１における各内向きの側面１１ｃで構成されるコーナー部分の内部側には、各側面１１ｃ、内向き固定面１１ｅおよび各継手用溝部１１ｄで構成される高さ方向に沿ったホルダガイド溝部１１ｇが備えられており、このホルダガイド溝部１１ｇに沿って高さ方向にスライド操作自在に保持されるホルダ体２４が装着されている。
【００４８】
このホルダ体２４は、可撓性を有した樹脂成形体よりなり、図５ないし図８にも示される如く、平面視でホルダガイド溝部１１ｇに対応した形状で高さ方向に所定の長さを有するホルダ本体部２４ａと、該ホルダ本体部２４ａの上面における内向き固定面１１ｅ側に上方突出状に形成された薄肉板状の弾性片部２４ｂとを備えた構造とされている。
【００４９】
そして、ホルダ本体部２４ａには、内向き固定面１１ｅに対応する側にナット体としての六角ナット２６が、回り止め状態で嵌合される嵌合凹部２４ｃが形成されると共に、嵌合凹部２４ｃの底部には、嵌合凹部２４ｃに嵌合された六角ナット２６に螺合される六角穴付ボルト２２の軸部が挿通されるボルト挿通孔２４ｄが形成されている。
【００５０】
また、弾性片部２４ｂの上部には、その幅方向中央部で内向き固定面１１ｅに対応する面側に円形のボス部２４ｅが突出形成されている。
【００５１】
そして、内向き固定面１１ｅには、ホルダ体２４のボス部２４ｅが嵌脱自在に嵌合されるボス嵌合孔１１ｈが、高さ方向に離隔して複数形成されると共に、ホルダ体２４のボス部２４ｅが各ボス嵌合孔１１ｈに嵌合された状態で、嵌合凹部２４ｃに嵌合された六角ナット２６の雌ネジ孔位置に対応するボルト挿通孔１１ｋが、内向き固定面１１ｅに高さ方向に離隔して複数形成されている。
【００５２】
そして、外側支柱１１のホルダガイド溝部１１ｇに、六角ナット２６が嵌合されたホルダ体２４を上方より挿入して弾性片部２４ｂの弾性変形下、押し込んでいけば、内向き固定面１１ｅのボス嵌合孔１１ｈ位置にボス部２４ｅが到達した際、弾性片部２４ｂの弾性復帰によりボス部２４ｅがボス嵌合孔１１ｈに嵌合して位置決め停止される。この状態において、六角ナット２６の雌ネジ孔とボルト挿通孔１１ｋが対応する。
【００５３】
また、ホルダ体２４の高さ位置を変更する場合には、弾性片部２４ｂの弾性に抗してボス部２４ｅを押し込み、ボス嵌合孔１１ｈからボス部２４ｅを離脱させ、この状態でホルダ体２４をホルダガイド溝部１１ｇの高さ方向に沿って適宜工具等によりスライド操作すればよい。そして、所望のボス嵌合孔１１ｈにボス部２４ｅを嵌合させれば、所望の高さにホルダ体２４を保持できる。
【００５４】
さらに、継手部材７を介して互いに連結された横フレーム５と縦フレーム６との枠組み体を外側支柱１１に組み付け固定するには、継手部材７の各継手部７ｂを外側支柱１１の各継手用溝部１１ｄに上方より嵌合させた後、外側支柱１１の高さ方向に沿ってスライドさせ、ホルダ体２４で保持された六角ナット２６位置に対応するボルト挿通孔１１ｋ位置に、継手部材７のボルト挿通孔７ｇが合致した状態で、六角穴付ボルト２２の軸部を各ボルト挿通孔７ｇ、１１ｋを介して六角ナット２６に螺合させ、締結すれば組み付け固定できる。
【００５５】
また、本実施形態においては、図１に示されるように、各外側支柱１１の上端部に嵌脱自在に嵌合される樹脂成形体等からなる化粧キャップ２８が装着されている。
【００５６】
本実施形態は以上のように構成されており、外側支柱１１のホルダガイド溝部１１ｇに沿って高さ方向にスライド操作自在とされたホルダ体２４を所望の位置に保持させ、横フレーム５と縦フレーム６とを連結する継手部材７の各継手部７ｂを、外側支柱１１の各継手用溝部１１ｄに嵌合して高さ方向に沿ってスライドさせて位置合わせし、ホルダ体２４に嵌合保持された六角ナット２６に継手部材７のボルト挿通孔７ｇ等を介して六角穴付ボルト２２を螺合締結すれば、外側支柱１１に横フレーム５および縦フレーム６を組み付け固定できる。
【００５７】
従って、ホルダ体２４の高さ位置の調整によって、横フレーム５や縦フレーム６の固定位置を、支柱３の端に限らず、支柱３の高さ方向中途部であっても組み付け固定でき、支持されるエアコンの室外機の大きさや設置場所の環境等に応じて適宜変更でき、汎用性の向上が図れる。
【００５８】
また、継手部材７の各継手部７ｂが外側支柱１１の各継手用溝部１１ｄにそれぞれ嵌合されて高さ方向に沿って摺動自在にスライドする構造であり、相互間のねじれが有効に防止でき、単一の六角穴付ボルト２２と六角ナット２６とによる固定であってもガタツキなく良好に固定でき、従って、互いに組み付けられた組み立て体１５における全体としてのねじれも有効に防止できる。
【００５９】
さらに、各継手用溝部１１ｄの配置位置や固定用の六角穴付ボルト２２の配置位置を組み立て体１５における外面を避けた面に配設する構造としているため、継手用溝部１１ｄや六角穴付ボルト２２が外部から見え難く、エアコン用置き台１としての外観向上が図れる。
【００６０】
また、各支柱３、各横フレーム５および各縦フレーム６がそれぞれ中空形状とされた押出型材からなる構造とされているため、剛性向上が図れ、強度的に優れる利点がある。
【００６１】
さらに、継手部材７と、横フレーム５や縦フレーム６との連結構造も、継手部材７に設けられた各継手挿入部７ｃ、７ｅを横フレーム５や縦フレーム６の端部に嵌合状に挿入すれば、各継手挿入部７ｃ、７ｅの各係合部７ｄ、７ｆが横フレーム５や縦フレーム６の各係止片部５ｄ、６ａにそれぞれ抜止め係止されて固定でき、手間のかかるネジ止めが不要となり、組み立て体１５の組み立て作業が容易に行える。
【００６２】
しかも、横フレーム５の端部に挿入される継手挿入部７ｃは、ガイド溝部５ａを避けて挿入される二分割構造とされているため、ガイド溝部５ａに沿ってスライド操作されるベースフレーム８側と継手挿入部７ｃとの干渉が有効に防止できる。従って、継手挿入部７ｃの挿入長さをより長く確保しても何ら支障がなく、長く確保することによって、連結部分の剛性向上が図れる利点もある。
【００６３】
また、各支柱３、各横フレーム５、各縦フレーム６、各継手部材７および各ベースフレーム８を、アルミニウムやアルミニウム合金等の押出型材からなる構造とされており、継手用溝部１１ｄや継手部７ｂ等を有する複雑な形状であっても容易に製造できる利点がある。
【００６４】
なお、上記では、横フレーム５と縦フレーム６とを継手部材７で連結した状態で、外側支柱１１に組み付けているが、先に、外側支柱１１に継手部材７を固定し、外側支柱１１に固定された継手部材７の各継手挿入部７ｃ、７ｅに横フレーム５や縦フレーム６を後から連結してもよい。
【００６５】
図９は、第２の実施形態を示しており、上記第１の実施形態と同様構成部分は同一符号を付し、その説明を省略する。
【００６６】
即ち、本実施形態においては、横フレーム５や縦フレーム６の端部に嵌合状に挿入される各継手挿入部７ｃ、７ｅは、その挿入端部に前記内側支柱１２のネジ止部１２ｂと同様、それぞれＣ字状のネジ止部７ｈが備えられ、横フレーム５や縦フレーム６がネジ止めされる構造とされている。
【００６７】
また、内向き固定面１１ｅには、前記内側支柱１２のナットスライド溝部１２ｃと同様、六角ナット２６を相対回動不能な回り止め状態で高さ方向にスライド自在に保持すると共に、六角穴付ボルト２２の軸部が挿通可能な溝幅を有するナットスライド溝部１１ｍが外側支柱１１の高さ方向に沿って形成された構造とされている。
【００６８】
なお、外側支柱１１にスライド自在に嵌合される内側支柱１２は、ナットスライド溝部１１ｍに干渉しない位置で、固定手段を備える構造とすればよい。
【００６９】
従って、本実施形態によれば、第１の実施形態と同様、横フレーム５や縦フレーム６の固定位置を、支柱３の端に限らず、支柱３の高さ方向中途部であっても組み付け固定でき、汎用性の向上やねじれ防止等が図れるだけでなく、特に、支柱３の高さ方向に対して無段階的に任意の位置で固定できる利点がある。
【００７０】
上記の場合、継手部材７のボルト挿通孔７ｇに六角穴付ボルト２２の軸部を挿入して六角ナット２６を緩く螺合させて保持させ、六角ナット２６を所定の向きとして、各継手部７ｂを各継手用溝部１１ｄの嵌合させてスライドさせる際に、ナットスライド溝部１１ｍに上方から嵌め込む方法としているが、六角ボルトの軸部を継手部材７のボルト挿通孔７ｇに裏側から挿入し、突出した軸部に六角ナット２６を緩く螺合させて保持させ、内向き固定面１１ｅにナットスライド溝部１１ｍと同様構成のボルトスライド溝部を設け、六角ボルトの頭部をそのボルトスライド溝部にスライド自在で回り止め状態に挿入する構造としてもよい。
【００７１】
なお、各実施形態では、比較的低い位置で室外機を載置支持する、いわゆる平置台とよばれるタイプに適用した例について説明したが、その他、種々のエアコン用置き台１に適用できる。例えば、より高い位置で室外機を載置支持する、いわゆる高置台と呼ばれるタイプや、また、図１０に示すエアコン用置き台１のように、横フレーム５、縦フレーム６、ベースフレーム８等を上下二段に備え、それぞれのベースフレーム８に室外機を載置支持する、いわゆる二段置台と呼ばれるタイプのものについても適用できる。
【００７２】
また、六角ナット２６をホルダ体２４で保持して、外側支柱１１の高さ方向に移動させ、六角穴付ボルト２２の螺合締結により組み付け固定する構造を示しているが、外側支柱１１の高さ方向に離隔した複数位置に、ポップナットによるカシメ取付構造等によりナット体を予め取り付けておく構造であってもよい。
【００７３】
さらに、横フレーム５、縦フレーム６、継手部材７、外側支柱１１、内側支柱１２の断面形状も適宜設定すればよく、各実施形態の形状に何ら限定されない。
【図面の簡単な説明】
【００７４】
【図１】本発明の第１の実施形態にかかるエアコン用置き台の斜視図である。
【図２】支柱との連結部分の断面平面図である。
【図３】横フレームとベースフレームとの連結部分の断面側面図である。
【図４】要部分解斜視図である。
【図５】ホルダ体の側面図である。
【図６】図５におけるホルダ体の平面図である。
【図７】図５におけるホルダ体の左側面図である。
【図８】図５におけるホルダ体の右側面図である。
【図９】第２の実施形態にかかる要部断面平面図である。
【図１０】変形例を示すエアコン用置き台の斜視図である。
【符号の説明】
【００７５】
１  エアコン用置き台
２  水平部材
３  支柱
５  横フレーム
５ａ  ガイド溝部
６  縦フレーム
７  継手部材
７ａ  継手基部
７ｂ  継手部
７ｃ  継手挿入部
７ｄ  係合部
７ｅ  継手挿入部
７ｆ  係合部
７ｇ  ボルト挿通孔
８  ベースフレーム
８ｃ  ボス部
９  固定具
１１  外側支柱
１１ｃ  側面
１１ｄ  継手用溝部
１１ｅ  内向き固定面
１１ｇ  ホルダガイド溝部
１１ｈ  ボス嵌合孔
１１ｋ  ボルト挿通孔
１１ｍ  ナットスライド溝部
１５  組み立て体
２２  六角穴付ボルト
２４  ホルダ体
２４ａ  ホルダ本体部
２４ｂ  弾性片部
２４ｅ  ボス部
２６  六角ナット
【図１】
2005299953.tif 000003
【図２】
2005299953.tif 000004
【図３】
2005299953.tif 000005
【図４】
2005299953.tif 000006
【図５】
2005299953.tif 000007
【図６】
2005299953.tif 000008
【図７】
2005299953.tif 000009
【図８】
2005299953.tif 000010
【図９】
2005299953.tif 000011
【図１０】
2005299953.tif 000012